(57)【要約】【課題】被検レンズの測定位置を示すターゲットマーク内に、測定光束内の少なくとも２つの異なる位置の屈折力を識別可能な屈折力マップを表示して、被検レンズの測定位置（遠用部、累進部および近用部の位置）を正確に把握することができるレンズメータを提供すること。【解決手段】ＣＭＯＳイメージセンサー２６の受光面に結像した結像点３１ａ、３１ｂ、３１ｃおよび３１ｄをもとに仮想結像点４１ａ、４１ｂ、４２ｂ、４２ｄ、４３ｃ、４３ｄ、４４ａおよび４４ｃを想定して、測定位置において、上下左右の４つの領域の屈折力Ｄｉｏ０、Ｄｉｏ１、Ｄｉｏ２、およびＤｉｏ３を算出してモニタ１０２に表示するターゲットマップマーク１３０内の屈折力マップとして表示するようにした。【選択図】図９
2018063136.tif 000002
【特許請求の範囲】
【請求項１】
発光手段から投射されて被検レンズを透過せしめた測定光束を光電変換型の受光手段で検出し、前記受光手段で検出した検出値に基づいて被検レンズの屈折力などの光学特性を測定するレンズメータにおいて、
所定の径の開口部を有するレンズ受けと、
被検レンズに照射する測定光束の内、前記レンズ受けの開口部を通過する測定光束径内の少なくとも２つの異なる位置における屈折力を算出する算出手段と、
表示画面に表示する被検レンズの測定位置を示す、丸形または多角形の形状のターゲットマークと、
前記ターゲットマーク内に前記算出手段により算出される少なくとも２つの異なる位置の屈折力の値を識別可能に表示する第１表示制御手段とを備えたことを特徴とするレンズメータ。  
【請求項２】
前記ターゲットマークを拡大表示するための拡大表示手段を備えたことを特徴とする請求項１に記載のレンズメータ。
【請求項３】
累進屈折力レンズの加入度を測定する累進屈折力測定レンズモードを備え、
前記累進屈折力測定レンズモードは、前記ターゲットマークと累進屈折力レンズに摸したターゲットレンズとを重ねて表示画面に表示することを特徴とする請求項１または２に記載のレンズメータ。  
【請求項４】
前記累進屈折力測定レンズモードは、表示画面の中心に前記ターゲットマークを表示し、前記ターゲットマークが測定位置に来るように、前記レンズ受け上に載置される被検レンズの移動に応じて前記ターゲットレンズを表示画面上で移動表示する第２表示制御手段を備えたことを特徴とする請求項３に記載のレンズメータ。
【発明の詳細な説明】
【技術分野】
【０００１】
本発明は、例えば、眼鏡レンズやコンタクトレンズ等の球面レンズ度数等の光学特性を測定することの出来るレンズメータに関する。
【背景技術】
【０００２】
従来から、老視の視力矯正用やパソコン作業時の眼精疲労低減用として種々の累進屈折力レンズが市販されている。そして、これら累進屈折力レンズの加入度を測定するための累進屈折力測定モードを備えたレンズメータが市販されている。
【０００３】
特許文献１には、レンズを搭載するノーズピース（レンズ受け）開口内の７ｍｍほどの領域内で一度に測定される光学特性分布により、ノーズピース上のレンズの測定光軸中心の測定位置が累進帯になるのか、遠用部になるのかなどを判定して、アライメント画面に表示した累進レンズをイメージさせる累進帯のグラフィックを持つレンズマークに対して現在の測定位置を示すターゲットを表示するレンズメータが開示されている。
【０００４】
また、特許文献２には、透明ガラスや透明樹脂等からなる大径の平板状の透明板と、この透明板の中央部上に突設されたレンズ支持用（レンズ受用）突部（距離特定手段）から構成されるレンズ受けにより累進多焦点レンズ（累進屈折力レンズ）の遠用部から累進部および近用部までの領域の光学特性をマップ表示するレンズメータが開示されている。
【先行技術文献】
【特許文献】
【０００５】
【特許文献１】特開２００６−１２６１５１号公報
【特許文献２】特開平１０−１０４１１８号公報
【発明の概要】
【発明が解決しようとする課題】
【０００６】
特許文献１に開示されたレンズメータは、ノーズピース開口内の領域内の光学特性分布から累進屈折力レンズである被検レンズの測定位置を判別してディスプレイ（モニタ）に測定位置が表示される。しかしながら、表示されるのは測定位置の位置情報であり、ターゲット表示された測定位置が正しいか否かを正確に把握することができないため、間違った測定位置をターゲット表示する恐れがある。このため、測定された累進屈折力レンズの加入度に誤差が生じる場合があるという問題がある。
【０００７】
特許文献２に開示されたレンズメータは、表示装置に表示されるマップ表示により、累進屈折力レンズである被検レンズの遠用部、累進部および近用部の位置状態を簡易に把握することができるが、透明板の中央部上に突設されたレンズ支持用（レンズ受用）突部の領域から外れるに従い被検レンズの後面位置と受光素子であるエリアＣＣＤとの距離が変化することから、遠用部の屈折力の値や加入度の値を正確に測定することが難しいという問題がある。
【０００８】
本発明は、上記の課題を解決するためになされたものであって、被検レンズの測定位置を示すターゲットマーク内に、測定光束内の少なくとも２つの異なる位置の屈折力を識別可能な屈折力マップを表示して、被検レンズの測定位置（遠用部、累進部および近用部の位置）を正確に把握することができ、これにより、精度の高い加入度測定を可能にするレンズメータを提供することを目的とする。
【課題を解決するための手段】
【０００９】
前記目的を達成するため請求項１に係るレンズメータは、発光手段から投射されて被検レンズを透過せしめた測定光束を光電変換型の受光手段で検出し、受光手段で検出した検出値に基づいて被検レンズの屈折力などの光学特性を測定するレンズメータにおいて、所定の径の開口部を有するレンズ受けと、被検レンズに照射する測定光束の内、レンズ受けの開口部を通過する測定光束径内の少なくとも２つの異なる位置における屈折力を算出する算出手段と、表示画面に表示する被検レンズの測定位置を示す、丸形または多角形の形状のターゲットマークと、ターゲットマーク内に算出手段により算出される少なくとも２つの異なる位置の屈折力の値を識別可能に表示する第１表示制御手段とを備えたことを特徴とする。
【００１０】
請求項２に係るレンズメータは、請求項１に記載のレンズメータにおいて、ターゲットマークを拡大表示するための拡大表示手段を備えたことを特徴とする。
【００１１】
請求項３に係るレンズメータは、請求項１または２に記載のレンズメータにおいて、累進屈折力レンズの加入度を測定する累進屈折力レンズ測定モードを備え、累進屈折力レンズ測定モードは、ターゲットマークと累進屈折力レンズに摸したターゲットレンズとを重ねて表示画面に表示することを特徴とする。
【００１２】
請求項４に係るレンズメータは、請求項３に記載のレンズメータにおいて、累進屈折力測定レンズモードは、表示画面の中心にターゲットマークを表示し、ターゲットマークが測定位置に来るように、レンズ受け上に載置される被検レンズの移動に応じてターゲットレンズを表示画面上で移動表示する第２表示制御手段を備えたことを特徴とする。
【発明の効果】
【００１３】
請求項１に係るレンズメータでは、ノーズピース開口内の少なくとも２つの異なる位置における屈折力を測定画面に表示されるターゲットマーク内に、屈折力マップとして表示することにより、被検レンズが累進屈折力レンズの場合、ターゲットマークにより測定位置が累進屈折力レンズのどの部位（遠用部、累進帯部、近用部や非点収差部）を測定しているかが把握できるとともに、ターゲットマーク内に表示される屈折力マップから、ターゲットマークの位置が正確か否かを判断することができることから、正確に累進屈折力レンズの加入度が測定することができる。
【００１４】
また、ターゲットマーク内に表示される屈折力マップから、測定位置において傷や研磨もれなどの被検レンズの不具合を発見することができる。例えば、被検レンズが単焦点レンズの場合、通常、ターゲットマーク内に表示される屈折力マップの濃淡は均一であるが、測定位置においてキズや研磨もれなどがある場合、表示される屈折力マップの濃淡にムラが現れるため、被検レンズの不具合を発見することができるのである。
【００１５】
請求項２に係るレンズメータでは、表示画面にタッチパネルが付いている場合は表示画面上のターゲットマークをタッチした場合、或いは、別途ボタンスイッチを押した場合、ターゲットマークが拡大表示するようにする。多くの穴を有するハルトマンプレートを用いて被検レンズを測定する場合、ターゲットマーク内に詳細な屈折力マップを表示させることができる。このような場合、屈折力マップを表示するターゲットマークを拡大表示することにより、表示される屈折力マップを詳細に確認できることから、より精度の高い測定が可能になるとともに、上記のようなレンズの不具合の発見も容易になる。
【００１６】
請求項３に係るレンズメータでは、累進屈折力レンズに摸したターゲットレンズとターゲットマークとを重ねて表示することができるため、測定している位置における屈折力マップ情報を確認することにより、加入度を正確に測定することができる。
【００１７】
請求項４に係るレンズメータでは、表示画面の中心にターゲットマークを表示し、ターゲットマークが被検レンズである累進屈折力レンズの測定位置に来るように、累進屈折力レンズに摸したターゲットレンズを重ねて表示する。これにより、レンズ受け上に載置する被検レンズの移動に応じて表示画面上のターゲットレンズが移動することから、視覚的に測定している位置の把握がしやすいため、簡易に測定することができる。
【図面の簡単な説明】
【００１８】
【図１】本発明の実施形態に係るレンズメータの全体構成の説明する図である。
【図２】本発明の実施形態に係るレンズメータの光学系を説明する図である。
【図３】本発明の実施形態に係るレンズメータで用いられるパターン板の例を説明する図である。
【図４】本発明の実施形態に係るレンズメータの単焦点レンズ測定モード時におけるモニタ表示画面の一例を説明する図である。
【図５】本発明の実施形態に係るレンズメータの単焦点レンズ測定モード時におけるターゲットマーク内に表示する屈折力マップの算出方法の一例を説明する図（その１）である。
【図６】本発明の実施形態に係るレンズメータの単焦点レンズ測定モード時におけるターゲットマーク内に表示する屈折力マップの算出方法の一例を説明する図（その２）である。
【図７】本発明の実施形態に係るレンズメータの累進屈折力レンズ測定モードの操作フローを説明する図である。
【図８】本発明の実施形態に係るレンズメータの累進屈折力レンズ測定モード時におけるモニタ表示画面の一例を説明する図である。
【図９】本発明の実施形態に係るレンズメータの累進屈折力レンズ測定モード時において、被検レンズの遠用部を測定する手順を説明するモニタ表示画面の一例を示す図である。
【図１０】本発明の実施形態に係るレンズメータの累進屈折力レンズ測定モード時において、被検レンズの遠用部から累進部を測定する手順を説明するモニタ表示画面の一例を示す図である。
【図１１】本発明の実施形態に係るレンズメータの累進屈折力レンズ測定モード時において、被検レンズの近用部を測定する手順を説明するモニタ表示画面の一例を示す図である。
【図１２】累進屈折力レンズ測定モードにおいて、被検レンズの遠用部の測定時におけるターゲットマーク内に表示する屈折力マップの算出方法の一例を説明する図である。
【図１３】累進屈折力レンズ測定モードにおいて、被検レンズの累進部の測定時におけるターゲットマーク内に表示する屈折力マップの算出方法の一例を説明する図である。
【図１４】累進屈折力レンズ測定モードにおいて、被検レンズの近用部の測定時におけるターゲットマーク内に表示する屈折力マップの算出方法の一例を説明する図である。
【図１５】多点測定用ターゲットパターンを採用した場合の単焦点レンズ測定モードにおける屈折力マップの画面表示の一例を説明する図である。
【図１６】多点測定用ターゲットパターンを採用した場合の累進屈折力レンズ測定モードにおける屈折力マップの画面表示の一例を説明する図（その１）である。
【図１７】多点測定用ターゲットパターンを採用した場合の累進屈折力レンズ測定モードにおける屈折力マップの画面表示の一例を説明する図（その２）である。
【発明を実施するための形態】
【実施例】
【００１９】
以下、本発明の実施形態に係るレンズメータ１ついて図１および図２を参照して説明する。図１は、本発明の実施形態に係るレンズメータ１の全体構成を示した図であり、図２は、本発明の実施形態に係るレンズメータ１の光学系を示した図である。
【００２０】
実施形態に係るレンズメータ１は、図１に示すように、光学系１０と本体部１００から構成される。光学系１０は、被検レンズの屈折力を測定するための測定光源１１およびＲＧＢ型のＣＭＯＳイメージセンサー２６などから構成されている。
【００２１】
本体部１００は、演算／制御処理部１０１、モニタ１０２、タッチパネル１０３、スイッチボタン１０４、プリンター１０５、メモリ１０６およびブザー１０７などから構成されている。演算／制御処理部１０１からの制御信号により、測定光源１１の点灯／消灯の制御やＣＭＯＳイメージセンサー２６の制御が実施される。また、演算／制御処理部１０１には、ＣＭＯＳイメージセンサー２６により取得されたイメージデータが入力される。そして、演算／制御処理部１０１に入力されたイメージデータについて演算処理を実施して、被検レンズの屈折力の値などを算出する。演算／制御処理部１０１は、算出した結果をメモリ１０６に記憶すると共に、モニタ１０２に表示する。
【００２２】
次に、光学系１０について、図２を参照して説明する。光学系１０は、測定光源１１などを備えた投光部と、ＣＭＯＳイメージセンサー２６などを備えた受光部とから構成されている。
【００２３】
本実施形態では、測定光源１１には、例えば、波長が５３５ｎｍの緑色光のＬＥＤが採用される。眼鏡レンズの屈折力は、基準波長であるｄ線（５８７．５６ｎｍ）またはｅ線（５４６．０７ｎｍ）により値付けされているため、本実施形態では、これら基準波長に近い５３５ｎｍの緑色光を採用するが、これに限定するものではなく、緑色光より長波長の赤色光のＬＥＤを採用してもよい。基準波長との差で生じる誤差は、基準レンズを用いた校正作業により補正される。
【００２４】
測定光源１１から出射される緑色光（以下「測定光」）は絞り１６およびコリメータレンズ１７に入射する。絞り１６は薄い平板に円形状の貫通穴を設けたものであり、被検レンズ１８に照射する光の光束径を制限するものである。被検レンズ１８に照射する光の光束径が大き過ぎると、コリメータレンズ１７から被検レンズ１８の間に配置された（図示しない）他の構成部品に照射し、その反射光が被検レンズ１８に入り込む恐れがある。絞り１６により、被検レンズ１８に照射する光の光束径を制限して他の構成部品からの反射光が被検レンズ１８に入り込むことを防止している。
【００２５】
また、測定光源１１は、コリメータレンズ１７の後側面焦点距離（バックフォーカス）の位置に配置されている。これにより、測定光はコリメータレンズ１７により平行光となり、被検レンズ１８に対して垂直に照射する。尚、レンズ受け１９は被検レンズ１８を載せるための台であり、被検レンズ１８は、レンズ受け１９により受光素子であるＣＭＯＳイメージセンサー２６に対し一定の距離に配置されて、屈折力などの光学特性が測定される。
【００２６】
被検レンズ１８を透過した測定光は、カバーガラス２０、パターン板２１および集光レンズ２２、２３、２４に入射した後、ＣＭＯＳイメージセンサー２６に入射する。
【００２７】
ここで、カバーガラス２０は受光部を埃などから保護するために配置された平板状の板ガラスであり、本実施形態では、被検レンズ１８を透過した測定光がほぼ１００％の透過率で透過できるように、上面および下面の両面には反射防止のためのマルチコーティングが施されている。尚、マルチコーティングは必須なものではなく、適宜、必要に応じて、適切な反射防止コーティングを施せばよい。
【００２８】
パターン板２１は、例えば、図３の（ａ）のような正方形の各頂点を中心とする４つの円状の貫通穴２１ａ、２１ｂ、２１ｃ、２１ｄを設けた円板状の平板が採用できる。被検レンズ１８を透過した測定光は、被検レンズ１８の屈折力に応じて屈折してパターン板２１に入射して４つの分離した光となる。４つの分離した光は、集光レンズ２２、２３および２４により集光し、ＣＭＯＳイメージセンサー２６の受光面において結像する。
【００２９】
４つの光がＣＭＯＳイメージセンサー２６の受光面で結像する位置は、被検レンズ１８の屈折力に応じて変化するため、４つの光の重心位置（座標位置）をＣＭＯＳイメージセンサー２６のイメージデータから算出することにより、被検レンズ１８の屈折力の値を算出することができるのである。４つの座標位置から球面屈折力Ｓ、円柱屈折力Ｃおよび乱視角度Ａなどの光学特性の値を算出する方法は特許第３１５０４０４号公報などに開示されているので、ここでは、詳細は省略する。
【００３０】
また、本実施形態における測定光は上記のように緑色光である。そこで、ＣＭＯＳイメージセンサー２６のＲ受光面（ｒｅｄ）、Ｇ受光面（ｇｒｅｅｎ）およびＢ受光面（ｂｌｕｅ）の内、Ｇ受光面で受光した電気信号を選択的に取り出して演算／制御処理部１０１にて処理することにより、被検レンズ１８の屈折力などの光学特性を取得できる。すなわち、本実施形態のようにＲＧＢ型のＣＭＯＳイメージセンサー２６を受光素子として採用することにより、測定光を選択的に受光するためのフィルターなどを配置する必要がない。
【００３１】
次に、本実施形態におけるターゲットマーク内に表示する屈折力マップについて図面を参照して説明する。
【００３２】
図４は、本実施形態に係るレンズメータ１の単焦点レンズ測定モード時におけるモニタ表示画面の一例を示した図である。図４（ａ）に示すように、モニタ１０２の中央部にはアライメント表示画面１１２が表示される。アライメント表示画面１１２は田の字に表示され、中心の交点１１４はレンズメータ１の光学系１０の光学中心を示している。そして、ＣＭＯＳイメージセンサー２６の受光面で結像する４つの光の座標位置から被検レンズ１８の光学中心の位置と光学系１０の光学中心との位置ずれ量（ＸＹ座標）を算出して、被検レンズ１８の光学中心の位置をターゲットマーク１１６としてアライメント表示画面１１２上にリアルタイムに表示する。すなわち、ターゲットマーク１１６は被検レンズ１８の光学中心と光学系１０の光学中心とのずれ具合を表しており、単焦点レンズ測定モード時の測定は、被検レンズ１８を前後左右に移動して、ターゲットマーク１１６がアライメント表示画面１１２の交点１１４に来るようにしてアライメントする。
【００３３】
アライメントが終了したら、スイッチボタン１０４を押して算出した被検レンズ１８の屈折力の値（Ｓ値、Ｃ値およびＡ値など）をメモリ１０６に記憶し、モニタ１０２の両サイドの測定値表示部１１０および１１１に表示する。測定値表示部１１０は左眼用の被検レンズの測定値を、測定値表示部１１１は右眼用の被検レンズの測定値をそれぞれ表示する。尚、上記実施例では、スイッチボタン１０４を押して算出した被検レンズ１８の屈折力の値をメモリ１０６に記憶したが、ターゲットマーク１１６がアライメント表示画面１１２の交点１１４に来たら（アライメントが終了したら）、自動的に算出した被検レンズ１８の測定値をメモリ１０６に記憶してもよいし、さらに、自動的にプリンター１０５に被検レンズ１８の測定値をプリントアウトしてもよい。
【００３４】
ここで、モニタ１０２の左下に表示されるマップボタン１２１を押すと、図４（ｂ）に示すように、ターゲットマーク１１６がターゲットマップマーク１３０に切り替わる。本実施形態では、ターゲットマップマーク１３０は４５°に傾斜し互いに９０°で交わる２本の線により上下左右の４つの領域に分けられており、レンズ受け１９の開口部内の上下左右の領域のそれぞれの屈折力を算出し、色の濃淡として、または、モニタ１０２がカラーモニタであれば配色として、屈折力が識別可能に表示されるように演算／制御処理部１０１にて演算処理される。
【００３５】
本実施形態に係るレンズメータ１の単焦点レンズ測定モード時におけるターゲットマーク内に表示する屈折力マップの算出方法について、図５および図６を参照して説明する。尚、図５および図６に示す算出方法は一例であって、この方法に限定するものではない。
【００３６】
図５（ａ）および図６（ａ）に示す４つの黒丸（「●」）は、パターン板２１の４つの円状の貫通穴２１ａ、２１ｂ、２１ｃ、２１ｄを通過した光がＣＭＯＳイメージセンサー２６の受光面に結像した結像点３１ａ、３１ｂ、３１ｃおよび３１ｄであり、結像点３１ａは貫通穴２１ａに、結像点３１ｂは貫通穴２１ｂに、結像点３１ｃは貫通穴２１ｃに、結像点３１ｄは貫通穴２１ｄにそれぞれ対応している。
【００３７】
図５（ａ）および図６（ａ）に示すように、レンズ受け１９の開口部内の上下左右の領域のそれぞれの屈折力を算出する際には、結像点３１ａ、３１ｂ、３１ｃおよび３１ｄをもとに仮想結像点４１ａ、４１ｂ、４２ｂ、４２ｄ、４３ｃ、４３ｄ、４４ａおよび４４ｃ（図中の破線の丸マーク）を想定する。
【００３８】
結像点３１ａ、３１ｂと仮想結像点４１ａ、４１ｂから形成される四角形は結像点３１ａと結像点３１ｂとを結ぶ辺Ｌｘ１を一辺とする斜方形（菱形）であり、結像点３１ｂ、３１ｄと仮想結像点４２ｂ、４２ｄから形成される四角形は結像点３１ｂと結像点３１ｄとを結ぶ辺Ｌｙ１を一辺とする斜方形（菱形）であり、結像点３１ｃ、３１ｄと仮想結像点４３ｃ、４３ｄから形成される四角形は結像点３１ｃと結像点３１ｄとを結ぶ辺Ｌｘ２を一辺とする斜方形（菱形）であり、結像点３１ａ、３１ｃと仮想結像点４４ａ、４４ｃから形成される四角形は結像点３１ａと結像点３１ｃとを結ぶ辺Ｌｙ２を一辺とする斜方形（菱形）である。
【００３９】
また、図５（ｂ）ではＬｘ１＝Ｌｘ２＝Ｌｙ１＝Ｌｙ２となっており、結像点と仮想結像点で形成される４つの四角形はそれぞれ斜方形であることから、結像点と仮想結像点とを結ぶ辺や仮想結像点と他の仮想結像点とを結ぶ辺（Ｌｘ１´、Ｌｘ２´、Ｌｙ１´、Ｌｙ２´）についても、Ｌｘ１＝Ｌｘ１´、Ｌｘ２＝Ｌｘ２´、Ｌｙ１＝Ｌｙ１´、Ｌｙ２＝Ｌｙ２´が成立する。これにより、結像点３１ａ、３１ｂと仮想結像点４１ａ、４１ｂから形成される四角形から算出した上部の屈折力Ｄｉｏ０（４１ａ，４１ｂ，３１ａ，３１ｂ）、結像点３１ｂ、３１ｄと仮想結像点４２ｂ、４２ｄから形成される四角形から算出した右部の屈折力Ｄｉｏ１（３１ｂ，４２ｂ，３１ｄ，４２ｄ）、結像点３１ａ、３１ｃと仮想結像点４４ａ、４４ｃから形成される四角形から算出した左部の屈折力Ｄｉｏ２（４４ａ，３１ａ，４４ｃ，３１ｃ）および結像点３１ｃ、３１ｄと仮想結像点４３ｃ、４３ｄから形成される四角形から算出した下部の屈折力Ｄｉｏ３（４３ｃ，４３ｄ，３１ｃ，３１ｄ）は全て等しくなる。
【００４０】
図５（ｃ）は、アライメント表示画面１１２上に表示されたターゲットマップマーク１３０を示した図である。ターゲットマップマーク１３０内を上下左右の４つの領域に分けて、算出した上部の屈折力Ｄｉｏ０、右部の屈折力Ｄｉｏ１、左部の屈折力Ｄｉｏ２および下部の屈折力Ｄｉｏ３の値を濃淡の度合いで表示したものである。図５（ａ）の場合は、４つの全ての領域の屈折力は上記のように等しいため、濃淡は均一になる。本実施形態では、ターゲットマップマーク１３０内の各領域の屈折力の値を濃淡の度合いで表示しているが、これに限定するものではなく、モニタ１０２がカラーモニタであれば、配色により屈折力の値を識別可能にしてもよい。この場合、より詳細に屈折力の値を表示することができる。
【００４１】
被検レンズ１８が単焦点レンズの場合、被検レンズ１８全体が均一の屈折力を持つため、図５（ｃ）に示すように、ターゲットマップマーク１３０内の４つの領域（Ｄｉｏ０、Ｄｉｏ１、Ｄｉｏ２、Ｄｉｏ３）の濃淡は均一になる。このため、ターゲットマップマーク１３０により被検レンズ１８が単焦点レンズか累進屈折力レンズか判別することができる。
【００４２】
被検レンズ１８にキズや研磨もれなど不具合がある場合のターゲットマップマーク１３０内の屈折力マップの表示の一例を、図６を参照して説明する。例えば、被検レンズ１８の測定部位（レンズ受け１９の開口部内）の右下部にキズや研磨もれなど不具合があると、図６（ａ）のように結像点３１ｄの位置が正常位置から外れて、結像点３１ａから３１ｄで構成する四角形が斜方形（菱形）から不等辺四角形になる。この場合、図６（ｂ）に示すように、辺Ｌｘ１と辺Ｌｙ２の長さは等しいが、辺Ｌｘ２および辺Ｌｙ１の長さはＬｘ１やＬｙ２と異なる（Ｌｘ１（＝Ｌｙ２）≠Ｌｘ２≠Ｌｙ１）。そのため、上部の屈折力Ｄｉｏ０と左部の屈折力Ｄｉｏ２は等しいが、右部の屈折力Ｄｉｏ１と下部の屈折力Ｄｉｏ３は異なる（Ｄｉｏ０（＝Ｄｉｏ２）≠Ｄｉｏ１≠Ｄｉｏ３）。これにより、図６（ｃ）に示すように、ターゲットマップマーク１３０内の４つの領域（Ｄｉｏ０、Ｄｉｏ１、Ｄｉｏ２、Ｄｉｏ３）の濃淡は均一にならない。このように、アライメント表示画面１１２上に表示されたターゲットマップマーク１３０内に濃淡で表示される屈折力マップから、現在測定している箇所にキズや研磨もれなど不具合があるか否かを判断することができる。すなわち、ターゲットマップマーク１３０内を屈折力マップから被検レンズ１８にキズや研磨もれなどの不具合を発見することができるのである。
【００４３】
次に、被検レンズ１８が累進屈折力レンズの場合について、図７から図１４を参照して説明する。図７には、本実施形態に係るレンズメータ１の累進屈折力レンズ測定モード時において、ターゲットマップマーク１３０を用いた操作フローの一例を示す。
【００４４】
まず、ステップＳ１０で、測定モードを累進屈折力レンズ測定モードに切り替える。図８（ａ）は、累進屈折力レンズ測定モードに切り替えた場合のモニタ１０２に表示される画面表示の一例を示したものである。モニタ１０２の左下のモード切替ボタン１２０を押すと測定モードを単焦点レンズ測定モード（「通常モード」とも言う）と累進屈折力レンズ測定モードとに切り替えることができる。ここで、モニタ１０２のアライメント表示画面１１２には累進屈折力レンズに摸したターゲットレンズ１１３が表示される。累進屈折力レンズはターゲットレンズ１１３のように、遠用部ＦＡの領域、近用部ＮＡの領域、累進帯部ＰＡの領域および両サイドの非点収差部ＡＳの領域を備えている。以下でも記述するが、累進屈折力レンズは、まず、遠用部ＦＡの屈折力を測定し、その後、累進屈折力レンズを遠用部ＦＡから累進帯部ＰＡに移動し、さらに、近用部ＮＡに移動して近用部ＮＡの屈折力を測定し、遠用部ＦＡの屈折力と近用部ＮＡの屈折力との差を加入度（ＡＤＤ）の値として算出し、モニタ１０２の測定値表示部１１０および測定値表示部１１１に表示する。
【００４５】
次に、ステップＳ１２で、アライメント表示画面１１２の中心の交点１１４に表示されるターゲットマーク１１６をターゲットマップマーク１３０に切り替える。図８（ｂ）は、ターゲットマップマーク１３０に切り替えた場合のアライメント表示画面１１２を示したものである。モニタ１０２の左下のマップボタン１２１を押すとアライメント表示画面１１２の中心の交点１１４に表示されるターゲットマーク１１６が上記単焦点モード時と同様にターゲットマップマーク１３０に切り替えられて表示される。本実施形態に係る累進屈折力レンズ測定モードでは、アライメント表示画面１１２の中心の交点１１４にターゲットマップマーク１３０が固定され、被検レンズ１８を移動するとそれに応じて、アライメント表示画面１１２内のターゲットレンズ１１３が移動するように演算／制御処理部１０１にて演算処理される。本実施形態では、視覚的に測定している位置の把握しやすいようにするため、レンズ受け１９上に載置する被検レンズ１８の移動に応じてアライメント表示画面１１２内のターゲットレンズ１１３が移動するようになっているが、アライメント表示画面１１２の表示方法は、これに限定するものでななく、ターゲットレンズ１１３を固定して、ターゲットマーク１１６またはターゲットマップマーク１３０を移動させてもよい。
【００４６】
次に、ステップＳ１４で、累進屈折力レンズである被検レンズ１８をレンズ受け１９上に載せて、光学系１０内に挿入する。図９（ａ）は被検レンズ１８の中央部をレンズ受け１９上に載せた時のターゲットレンズ１１３とターゲットマップマーク１３０を示したものである。累進屈折力レンズの中央部には累進帯部があるため、図９（ａ）に示すように、アライメント表示画面１１２の中心に表示されるターゲットマップマーク１３０にターゲットレンズ１１３の累進帯部ＰＡが来るようにアライメント表示画面１１２内でターゲットレンズ１１３が移動する。
【００４７】
次に、ステップＳ１６で、被検レンズ１８を遠用部へ移動する。レンズ受け１９上に被検レンズ１８の累進帯部があると上記のようにターゲットマップマーク１３０がターゲットレンズ１１３の累進帯部ＰＡに来るように移動して表示され、被検レンズ１８を遠用部へ導くための矢印マーク１３４が表示される。そこで、矢印マーク１３４に従い、被検レンズ１８を遠用部へ移動する。
【００４８】
次に、ステップＳ１８で、被検レンズ１８の遠用部の屈折力を測定する。矢印マーク１３４に従い、被検レンズ１８を遠用部へ移動すると、図９（ｂ）に示すようにターゲットマップマーク１３０がターゲットレンズ１１３の遠用部ＦＡに来るように移動し、矢印マーク１３４は消える。
【００４９】
次に、ステップＳ２０で、被検レンズ１８の遠用部の屈折力の測定の終了（Ｙ：遠用部測定ＯＫ）を判断する。累進屈折力レンズは一般に遠用部と近用部は単焦点レンズと同様な光学特性であるため、ＣＭＯＳイメージセンサー２６の受光面に結像する結像点３１ａ、３１ｂ、３１ｃおよび３１ｄからなる四角形は斜方形（菱形）になるが、遠用部と近用部の間にある累進帯部は屈折力に傾斜があるため、ＣＭＯＳイメージセンサー２６の受光面に結像する結像点３１ａ、３１ｂ、３１ｃおよび３１ｄからなる四角形は斜方形（菱形）にはならない。すなわち、被検レンズ１８を遠用部の適切な位置に移動すると、図９（ｂ）に示すようにターゲットマップマーク１３０内の４つの領域（Ｄｉｏ０、Ｄｉｏ１、Ｄｉｏ２、Ｄｉｏ３）の濃淡は均一になる。このように、ターゲットマップマーク１３０内の４つの領域の濃淡が均一になったら、「遠用部測定ＯＫ」と判断し（Ｙ）、ステップＳ２２で遠用部の屈折力の値をメモリ１０６に保存し、モニタ１０２の測定値表示部１１０または測定値表示部１１１に表示する。遠用部の測定が終了しない（Ｎ：遠用部測定ＮＧ）場合は、ステップＳ１８に戻って、遠用部の測定を続ける。
【００５０】
次に、ステップＳ２４で、被検レンズ１８を累進帯部へ移動する。ステップＳ２２で遠用部の屈折力の値をメモリ１０６に保存すると、図１０（ａ）に示すように、矢印マーク１３４が表示される。矢印マーク１３４に従い、被検レンズ１８を累進帯部へ移動すると、図１０（ｂ）に示すようにターゲットマップマーク１３０がターゲットレンズ１１３の累進帯部ＰＡに来るように移動する。累進帯部であるか否かはターゲットマップマーク１３０内の４つの領域の濃淡の状態で判断することができる。判断方法については、下述するため、ここでは説明しない。
【００５１】
次に、ステップＳ２６で、被検レンズ１８を近用部へ移動する。図１０（ｂ）に示す矢印マーク１３４に従い、被検レンズ１８を近用部へ移動すると、図１１（ａ）に示すようにターゲットマップマーク１３０がターゲットレンズ１１３の近用部ＮＡに来るように移動する。
【００５２】
次に、ステップＳ２８で、被検レンズ１８の近用部の屈折力を測定する。矢印マーク１３４に従い、被検レンズ１８を近用部へ移動すると、図１１（ａ）に示すようにターゲットマップマーク１３０がターゲットレンズ１１３の近用部ＮＡに移動し、矢印マーク１３４は消える。
【００５３】
次に、ステップＳ３０で、被検レンズ１８の近用部の屈折力の測定の終了（Ｙ：近用部測定ＯＫ）を判断する。近用部の適切な位置に移動（アライメント）すると、上述したように、近用部も遠用部と同様、単焦点レンズと同様な光学特性であるため、ＣＭＯＳイメージセンサー２６の受光面に結像する結像点３１ａ、３１ｂ、３１ｃおよび３１ｄからなる四角形は斜方形（菱形）になる。遠用部の測定の場合と同様、図１１（ａ）に示すようにターゲットマップマーク１３０内の４つの領域の濃淡は均一になったら、「近用部測定ＯＫ」と判断し（Ｙ）、ステップＳ３２で近用部の屈折力の値をメモリ１０６に保存し、演算／制御処理部１０１にて加入度（ＡＤＤ）を算出し、モニタ１０２の測定値表示部１１０または測定値表示部１１１に表示する。近用部の測定が終了しない（Ｎ：近用部測定ＮＧ）場合は、ステップＳ２８に戻って、近用部の測定を続ける。
【００５４】
図１１（ｂ）には、「近用部測定ＮＧ」の一例を示す。近用部の適切な位置に移動（アライメント）しないと、図１１（ｂ）に示すように、ターゲットマップマーク１３０内の４つの領域の濃淡は不均一になる。そこで、ターゲットマップマーク１３０内の４つの領域の濃淡が均一になるように被検レンズ１８を移動することにより、近用部の適切な位置に移動（アライメント）することができる。
【００５５】
ステップＳ３４で、測定が終了したか否かを判断する。もし、測定が終了したら（Ｙ）、操作は終了する。再度、測定する場合（Ｎ）は、ステップＳ１４に戻り、被検レンズ１８を再度挿入して、測定を続ける。
【００５６】
上述のように、本実施形態にかかる方法に依れば、累進屈折力レンズの各部位（遠用部、累進帯部、近用部）の測定位置において、レンズ受け１９内の４つの領域の屈折力が、ターゲットマップマーク１３０内の４つの領域の濃淡として視認できることから、各部位において適切な位置で測定することができることから、加入度の測定が容易に、かつ、正確にできるのである。
【００５７】
また、上述のように、単焦点レンズ測定モードにおいては、ターゲットマップマーク１３０内の４つの領域の濃淡から、被検レンズ１８のキズや研磨もれなどのレンズの不具合も発見することができる。
【００５８】
図１２には、累進屈折力レンズ測定モードにおいて、被検レンズ１８の遠用部の測定時におけるターゲットマップマーク１３０内に表示する屈折力マップの算出方法の一例を、図１３には、累進屈折力レンズ測定モードにおいて、被検レンズ１８の累進帯部の測定時におけるターゲットマップマーク１３０内に表示する屈折力マップの算出方法の一例を、図１４には、累進屈折力レンズ測定モードにおいて、被検レンズ１８の近用部の測定時におけるターゲットマップマーク１３０内に表示する屈折力マップの算出方法の一例を示す。図１３（ｃ）に示すように、累進帯部を測定する際には、ターゲットマップマーク１３０内の上部の屈折力Ｄｉｏ０と下部の屈折力Ｄｉｏ３の濃淡に差が生じる。これにより、被検レンズ１８の測定位置が累進帯部にあることが確認することができる。また、ターゲットマップマーク１３０内の右部の屈折力Ｄｉｏ１と左部の屈折力Ｄｉｏ２を表す濃淡が同一になるように被検レンズ１８を左右方向に移動しながら累進帯部から近用部へ移動することにより、被検レンズ１８を非点収差部にかからずに、簡易に適切な近用部へ移動させることができる。
【００５９】
ここで、レンズメータ１はレンズメータの一例であり、被検レンズ１８は被検レンズの一例であり、レンズ受け１９はレンズ受けの一例であり、モニタ１０２は表示画面の一例であり、ターゲットマップマーク１３０はターゲットマークの一例である。
【００６０】
なお、本発明の技術範囲は上記実施形態に限定されるものではなく、本発明の趣旨を逸脱しない範囲において種々の変更を加えることが可能である。例えば、本発明を上記の実施形態に適用したものに限られることなく、これらの実施形態を適宜組み合わせた実施形態に適用してもよく、特に限定するものではない。
【００６１】
例えば、上記実施形態では、パターン板２１には図３（ａ）の４つ穴のパターン板を採用したが、パターン板はこれに限定するものではない。例えば、図３（ｂ）のパターン板２１０のように多数の貫通穴を設けたハルトマンプレートを採用することも可能である。さらに、本明細書には図示しないが、円状の他、様々な形状のパターン板を採用してもよい。すなわち、種々な特許文献に開示されたパターン板が採用可能である。
【００６２】
また、上記実施形態では、ターゲットマップマーク１３０はレンズ受け１９内の上下左右の４つの領域の屈折力マップを表示したが、ターゲットマップマーク１３０の屈折力マップは、これに限定するものではない。例えば、上下領域や左右領域など２つの領域の屈折力マップでもよいし、逆に図３（ｂ）のパターン板２１０のように多数の貫通穴を設けたハルトマンプレートを採用してレンズ受け１９内の多数の領域において屈折力を算出して詳細な屈折力マップを表示することも可能である。
【００６３】
図１５から図１７は、図３（ｂ）のパターン板２１０のように多数の貫通穴を設けたハルトマンプレートを採用してレンズ受け１９内の多数の領域において屈折力を算出して詳細な屈折力マップを表示した一例を示したものである。図１５は、単焦点レンズ測定モード時のモニタ１０２に表示されるターゲットマップマーク１３０の例を、図１６および図１７は累進屈折力レンズ測定モード時のモニタ１０２に表示されるターゲットマップマーク１３０の例を示す。
【００６４】
図１５（ａ）は、単焦点レンズ測定モードにおいて、モニタ１０２に表示されるアライメント表示画面１１２上のターゲットマップマーク１３０を示したもので、図１５（ｂ）はターゲットマップマーク１３０を拡大表示したものである。このように、拡大表示を行うことにより、被検レンズ１８の不具合の状態を詳細に確認することができる。
【００６５】
図１６（ａ）は、累進屈折力レンズ測定モードにおいて、被検レンズ１８のる累進帯部測定時におけるモニタ１０２に表示されるアライメント表示画面１１２上のターゲットマップマーク１３０を示したもので、図１６（ｂ）はターゲットマップマーク１３０を拡大表示したものである。このように、拡大表示を行うことにより、被検レンズ１８が適切な位置を移動しているかが詳細に確認できるため、スムーズに被検レンズ１８を近用部に移動することができる。
【００６６】
図１７（ａ）は、累進屈折力レンズ測定モードにおいて、被検レンズ１８のる近用部測定時におけるモニタ１０２に表示されるアライメント表示画面１１２上のターゲットマップマーク１３０を示したもので、図１７（ｂ）は測定位置が近用部の正しい位置からずれた場合のターゲットマップマーク１３０を示したものである。このように、図３（ｂ）のパターン板２１０のように多数の貫通穴を設けたハルトマンプレートを採用してレンズ受け１９内の多数の領域において屈折力を算出して詳細な屈折力マップを表示することにより、被検レンズ１８の測定位置が屈折力マップにより把握することができるため、累進屈折力レンズの測定が、より容易に、かつ、正確に実施することができる。
【００６７】
また、上記実施形態では、ターゲットマップマーク１３０の屈折力マップはレンズ受け１９内を複数の領域それぞれの屈折力の値を濃淡の度合いや配色で識別可能にしたが、算出した屈折力の値ではなく、例えば、中心の屈折力の値を算出し、算出した中心の屈折力の値との差の値を濃淡の度合いや配色で識別可能に表示してもよい。差の値を濃淡の度合いや配色で識別する方法は、これに限定するものでなく、例えば、累進屈折力レンズ測定モードにおいては、累進帯部や近用部の測定時は、遠用部の測定値との差を用いて、ターゲットマップマーク１３０の屈折力マップを表示してもよい。
【００６８】
さらに、測定される被検レンズ１８の屈折力の値は、Ｓ（球面度数）、Ｃ（円柱度数）、Ａ（乱視角度）として算出されるため、Ｓ値の屈折力マップ、Ｃ値の屈折力マップ、Ａ値の度数マップのように個々の値をマップ表示してもよいし、Ｓ値とＣ値の和を算出してマップ表示してもよい。確認したい値に応じて様々な値をターゲットマップマーク１３０内にマップ表示することも可能である。
【００６９】
上記実施形態では、ターゲットマップマーク１３０は丸形としたが、これについても限定するものではなく、四角形や五角形などの多角形も用いることができることは言うまでもない。
【符号の説明】
【００７０】
１・・レンズメータ
１０・・光学系
１１・・測定光源
１８・・被検レンズ
２６・・ＣＭＯＳイメージセンサー
１０１・・演算／制御処理部
１０２・・モニタ
１１２・・アライメント表示画面
１１３・・ターゲットレンズ
１３０・・ターゲットマップマーク
【図１】
2018063136.tif 000003
【図２】
2018063136.tif 000004
【図３】
2018063136.tif 000005
【図４】
2018063136.tif 000006
【図５】
2018063136.tif 000007
【図６】
2018063136.tif 000008
【図７】
2018063136.tif 000009
【図８】
2018063136.tif 000010
【図９】
2018063136.tif 000011
【図１０】
2018063136.tif 000012
【図１１】
2018063136.tif 000013
【図１２】
2018063136.tif 000014
【図１３】
2018063136.tif 000015
【図１４】
2018063136.tif 000016
【図１５】
2018063136.tif 000017
【図１６】
2018063136.tif 000018
【図１７】
2018063136.tif 000019